(57)【要約】【課題】  発光型表示器を搭載した電話端末において、違和感の無いポジ表示と消費電力が少ないネ表示を状態に応じて適応的に切り替え可能な電話端末を提供する。【解決手段】  発光型表示器を搭載した電話端末１００は、待機状態判定部１０１が人感センサー部１０４、呼制御部１０６、操作キー１１０から待機状態か否かと近傍の人の在不在の状況を判定し、その状態と状況に応じて、違和感の無いポジ表示と表示に係る消費電力の少ないネガ表示を適応的に選択して表示を切り替える。【選択図】    図１
2011014962.tif 000002
【特許請求の範囲】
【請求項１】
マークドットを消灯し背景ドットを点灯させてポジ表示する発光型ドットマトリックス表示器を備える電話端末において、
自端末が待機状態であるか否かを判定する待機状態判定手段と、
マークドットを消灯し背景ドットを点灯させてポジ表示するポジ表示手段と、
マークドットを点灯し背景ドットを消灯させてネガ表示するネガ表示手段と、
同じ表示データに対してポジ表示とネガ表示を切り替えるネガ・ポジ表示切替手段と、を有し、
前記待機状態判定手段が自端末は待機状態であると判定した場合に、前記表示切替手段は、表示中のポジ表示をネガ表示に切り替え、前記待機状態判定手段が自端末は非待機状態であると判定した場合に、前記表示切替手段は、表示中のネガ表示をポジ表示に切り替えることを特徴とするネガ・ポジ表示切替機能付電話端末。
【請求項２】
請求項１に記載の電話端末において、
自端末の近傍に人が存在するか否かを検知する人感センサーをさらに有し、
前記人感センサーが人を検知しない場合は、自端末が待機状態であるか否かに拘らず、前記表示切替手段は、表示をネガ表示とすることを特徴とするネガ・ポジ表示切替機能付電話端末。
【請求項３】
請求項１に記載の電話端末において、
自端末の近傍に人が存在するか否かを検知する人感センサーをさらに有し、
前記人感センサーが人を検知した場合は、自端末が待機状態であるか否かに拘らず、前記表示切替手段は、表示をポジ表示とすることを特徴とするネガ・ポジ表示切替機能付電話端末。
【発明の詳細な説明】
【技術分野】
【０００１】
本発明は、発光型表示器を搭載した電話端末の表示技術に関する。
【背景技術】
【０００２】
一般に電話端末に搭載されるドットマトリックス表示器には、画面背面のバックライトを光源とする半透過型液晶表示器が採用されている。しかしながら、日中の屋外や非常に明るい照明が点灯した室内で利用する場合、半透過型液晶表示器はコントラスト比が低く、視認性が悪くなるという問題がある。
【０００３】
これを解決する技術として、ＬＥＤ（発光ダイオード）や有機ＥＬ（エレクトロルミネッセンス）、蛍光表示管等の発光素子をマトリックス状に配置した発光型表示器がある。これらは、液晶表示器と比べ、自発光表示素子なので、コントラスト比が高く、日中の屋外や非常に明るい照明が点灯した室内であっても視認性を保つことができ、車のメータ情報表示や、電光掲示板等に広く採用されている（例えば特許文献１）。
【先行技術文献】
【特許文献】
【０００４】
【特許文献１】特開平１１−１１８４９５号
【発明の概要】
【発明が解決しようとする課題】
【０００５】
しかしながら、発光型表示器を電話端末の表示手段に適用し、一般的な電話端末に搭載される半透過型液晶表示器と同じポジ表示（例えば背景ドットが白で情報ドットが黒）とした場合、背景ドットに対応する多数の発光素子を点灯し、情報ドットに対応する少数のマークドットを消灯するので表示に係る消費電力が大きいという欠点がある（詳細は後述）。
【０００６】
また、ネガ表示（例えば背景ドットが黒で情報ドットが白）とした場合、一般的な電話端末に搭載される半透過型液晶表示器におけるポジ表示と異なる表示となるため、操作者に違和感を与える可能性がある。
【０００７】
本発明は上記事情に鑑みてなされたものであり、本発明の課題は、視認性の高い発光型表示器を電話端末に搭載し、電話端末の状態に応じて発光型表示器のポジ表示とネガ表示を適切に切り替えることにより、表示に係る消費電力を抑えつつ一般的な電話端末と同じポジ表示が出来る電話端末を提供することにある。
【課題を解決するための手段】
【０００８】
上記課題を解決するために本発明では、マークドットを消灯し背景ドットを点灯させてポジ表示する発光型ドットマトリックス表示器を備える電話端末において、自端末が待機状態であるか否かを判定する待機状態判定手段と、マークドットを消灯し背景ドットを点灯させてポジ表示するポジ表示手段と、マークドットを点灯し背景ドットを消灯させてネガ表示するネガ表示手段と、同じ表示データに対してポジ表示とネガ表示を切替えるネガ・ポジ表示切替手段と、を有し、前記待機状態判定手段が自端末は待機状態であると判定した場合に、前記表示切替手段は、表示中のポジ表示をネガ表示に切替え、前記待機状態判定手段が自端末は非待機状態であると判定した場合に、前記表示切替手段は、表示中のネガ表示をポジ表示に切り替えることを特徴とする。
【発明の効果】
【０００９】
本発明によれば、視認性の高い発光型表示器を搭載するので、一般的な電話端末に半透過型液晶表示器による表示に比べて、明るい照明が点灯した室内であってもコントラスト比が高い。この結果、多少離れた箇所からでも電話端末の状態変化（例えば着信）に係る表示を確認し易いという利点がある。しかも電話を操作する時は違和感の無いポジ表示で、待機時はネガ表示なので、消費電力を抑えられる利点がある。
【図面の簡単な説明】
【００１０】
【図１】本発明の一実施の形態にかかるブロック構成図である。
【図２】本発明の動作を説明するフローチャートである。
【図３】ドットマトリックス表示器の表示例を示す図である。
【図４】発光型表示器での表示の一例を示す図である。
【発明を実施するための形態】
【００１１】
以下、本発明の実施の形態について図を用いながら説明する。
【００１２】
図１は、本発明の一実施の形態に係るネガ・ポジ表示切替機能付電話端末１００（以下、本端末と称することもある）の機能ブロック図である。
【００１３】
本端末１００は、公衆電話網に接続し、発着信機能・通話機能等、電話機が持つ基本的な機能を有する電話端末である。
【００１４】
また、本端末１００は、待機状態判定部１０１、表示画面データメモリ１０２、表示画面制御部１０３、発光型表示器１０５、人感センサー部１０４、呼制御部１０６、接続ＩＦ（インターフェース）部１０７、主制御部１０８、送受話器１０９、操作キー１１０とから構成される。
【００１５】
待機状態判定部１０１は、本端末１００が発着信に係る動作中が否か、または本端末１００の近傍に人が居るか否かを監視し、本端末１００の近傍の人の在／不在を含む本端末１００に係る待機状態を判定し、その結果を主制御部１０８に通知する。
【００１６】
例えば、人感センサー部１０４が人の存在を感知している状況（在席）で、本端末１００が発着信に係る動作中でなければ、利用者が在席している状況での待機であるから、主制御部１０８は一般的な電話端末と同じポジ表示での待機画面表示を表示画面制御部１０３に指示する。そして、その状況（在席待機）で着信や発信操作があった場合、主制御部１０８は当該動作に係る動作画面のポジ表示を指示する。この結果、利用者は待機中または動作中に係る表示画面に違和感を覚えない。
【００１７】
一方、人感センサー部１０４が人の存在を感知していない状況（離席）で、本端末１００が発着信に係る動作中でなければ、利用者が在席していない状況での待機であるから、主制御部１０８は、消費電力が少ないネガ表示での着信表示を表示画面制御部１０３に指示する。そして、その状況（不在待機）で着信があった場合、主制御部１０８は当該動作に係る動作画面をそのままネガ表示させる。この結果、表示に係る消費電力を抑制できる。
【００１８】
表示画面データメモリ１０２は、主制御部１０８によって表示を指示された表示データを記憶する記憶メモリである。ここで表示データとは、情報を表示するマークドット群および背景を表示する背景ドット群から成る１画面分の画像表示データである。
【００１９】
図３は、縦横に配置されるドットのうち任意のドットを点灯／消灯させることにより文字や記号を表示するドットマトリックス表示器の表示例である。ドットマトリックス表示器の表示には、図３の（１）のように、表示する文字や記号の位置に対応するマークドットを消灯し、背景部分を点灯させるポジ表示と、図３の（２）のように、背景部分を消灯しマークドットを点灯するネガ表示などがある。
【００２０】
尚、本実施例では表示画面データメモリ１０２にはポジ表示の表示データが記憶され、表示画面データメモリ１０２から渡される表示データは全てポジ表示で渡すものとする。
【００２１】
表示画面制御部１０３は、主制御部１０８からの指示に従って、発光型表示器１０５に表示すべき画像をネガ表示またはポジ表示のいずれかで表示制御をおこなう。なお、表示画面制御部１０３は、図示しないが、発光型表示器１０５の輝度制御も行う。
【００２２】
表示画面制御部１０３の内部には、ネガ表示設定部１０３１、ネガ表示画面データメモリ１０３２、ポジ表示画面データメモリ１０３３の各機能を有している。
【００２３】
ポジ表示画面データメモリ１０３３は表示画面データメモリ１０２からポジ表示の表示データを渡されるとこれを記憶し、主制御部１０８の指示に応じて、発光型表示器１０５に画面出力する。図４（１）にポジ表示の表示例を示す。本実施例では、着信を検出した場合や、人感センサー部１０４で人検知した場合に、ユーザが画面の文字を違和感なく見易くなるようポジ表示を行う。
【００２４】
ネガ表示設定部１０３１は、表示画面データメモリ１０２からポジ表示の表示データを渡されるとこれらのマークドットを反転してネガ表示の表示データネガ表示画面データメモリ１０３２に渡す。
【００２５】
ネガ表示画面データメモリ１０３２は、表示データを渡されると、これを記憶し、主制御部１１２の指示に応じて、発光型表示器１０５に画面出力する。図４（２）にネガ表示の表示例を示す。図４（１）と図４（２）を較べると、図４（２）のネガ表示の方が点灯箇所（白）が少ないことが分かる。これにより消費電力を抑制できる。
【００２６】
図４（３）は発光型表示器１０５の輝度を低輝度に設定した場合の表示例である。輝度を通常より下げることにより、消費電力が削減できる。本実施例では輝度の設定は、ユーザのキー操作により設定される（図示せず）。
【００２７】
ネガ表示設定部１０３１は、さらに輪郭抽出加工部１０３１１を有し、主制御部１０８の指示に応じてネガ表示の表示データの加工処理を行う。
【００２８】
輪郭抽出加工部１０３１１は、主制御部１０８の指示に応じて表示データのマークドットの輪郭部分を抽出し、輪郭部分を点灯する加工をおこなう。図４の（４）に、輪郭抽出加工を行った場合の表示例を示す。
【００２９】
図４（４）の輪郭抽出加工は、図４（２）のネガ表示よりもさらに消費電力の削減が出来る。この表示は、夜間での待機中の画面表示に適している。
【００３０】
発光型表示器１０５は、ＬＥＤ（発光ダイオード）、有機ＥＬ（エレクトロルミネッセンス）、蛍光表示管など発光型素子から成るドットマトリックス表示器である。
【００３１】
人感センサー部１０４は、本端末１００の近くに人がいることを検出するためのセンサーである。人感センサー部１０４が人を検知すると、前記待機状態判定部１０１に検知したことを通知する。なお、詳述しないが、人感センサー部１０４は、赤外線検知技術を応用した種々の公知技術が適用可能である。
【００３２】
呼制御部１０６は、自電話端末の発着信の呼制御および音声データの送受信等、電話呼制御全般を行う。また、本端末１００への着信信号を監視し、接続ＩＦ（インターフェース）部１０７から着信信号を受取ると前記待機状態判定部１０１へ着信信号を検出したことを通知する。
【００３３】
接続ＩＦ（インターフェース）部１０７は、公衆電話網と接続する外部インターフェースであり、音声を量子化して音声データに符号化したり、逆に音声データを復号化して音声に復元する。尚、本実施例では、公衆電話網として説明するが、本願はこれに限定しない。ＩＰ網、携帯網、ＩＳＤＮ、無線ＬＡＮなど、通信のできるネットワークであればなんでもよい。
【００３４】
主制御部１０８は、操作キー１１０のキー制御や、送受話器１０９からの音声の符号化、復号化など電話機能全般の制御を行う。また、表示画面制御部１０３に表示画面データメモリ１０２を介して文字・記号の表示データを渡し、表示方法を指示する。
【００３５】
送受話器１０９は、マイク・スピーカから構成され、音声入力・音声出力を行う。
【００３６】
操作キー１１０は、ダイヤルキーやフックスイッチ等電話端末のキー部分である。また、操作キー１１０には、電話端末の状態に関わらず強制的にポジ表示を行うための強制ポジ表示切替スイッチおよび発光型表示器１０５の輝度を設定するための輝度設定スイッチが含まれる。
【００３７】
次に、図２のフローチャートを用いてネガ表示・ポジ表示を本端末１００の状態に応じて切り替える動作について説明する。
【００３８】
本フローチャートは、本端末１００に電源が投入されたところからスタートする。
【００３９】
電源が投入されると、主制御部１０８は、表示画面データメモリ１０２に、発光型表示部１０５に表示する待受け用の表示データを渡す。表示データを渡された表示画面データメモリ１０２は、表示画面制御部１０３に表示データに渡す。このとき、待機状態判定部１０１は待機状態と判断され、主制御部１０８を介して表示画面制御部１０３にネガ表示するように指示する。
【００４０】
指示を受けた表示画面制御部１０３内のネガ表示設定部１０３１は、ネガ表示データに変換し、発光型表示器１０５に表示する（Ｓ１０１）。
【００４１】
Ｓ１０１の後、待機状態から非待機状態（動作中）への状態遷移を監視する（Ｓ１０２、Ｓ１０３、Ｓ１０４、Ｓ１０５）。
【００４２】
発信やオフフック等の利用者による端末操作を検出した場合（Ｓ１０２：Ｙ）、或いは操作キー１１０の強制ポジ表示のスイッチが強制ポジ表示に設定されていた場合（Ｓ１０３：Ｙ）、呼制御部１０６が公衆電話網からの着信を検出した場合（Ｓ１０４：Ｙ）、或いは人感センサー部１０４が在席または近傍に存在する人を検出した場合（Ｓ１０５：Ｙ）、主制御部１０８は発光型表示器１０５の発光輝度を通常に設定して（Ｓ１０７）、ポジ表示の表示を行う（Ｓ１０８）。ただし、着信を検出した場合（Ｓ１０４：Ｙ）であっても、人感センサー部１０４が人を感知していなければ（Ｓ１０６：Ｎ）、Ｓ１０９へ進む。
【００４３】
一方、待機状態から非待機状態への移行を検出できない場合（Ｓ１０２：ＮかつＳ１０３：ＮかつＳ１０４：ＮかつＳ１０５：Ｎ）、待機状態と判定し、操作キー１１０の輝度設定スイッチが低輝度に設定されているか否かを確認する（Ｓ１０９）。
【００４４】
輝度設定スイッチが「通常」に設定されていたならば（Ｓ１０９：Ｎ）、表示画面制御部１０３は、発光型表示器１０５のポジ表示部輝度を通常に設定する（Ｓ１１０）。
【００４５】
一方、輝度設定スイッチが「低輝度」に設定されていたならば（Ｓ１０９：Ｙ）、表示画面制御部１０３は発光型表示器１０５のポジ表示部輝度を低輝度に設定する（Ｓ１１１）。
【００４６】
次に、表示画面制御部１０３に保存される輪郭抽出加工部１０３１１の表示加工の設定を調査する（Ｓ１１２）。
【００４７】
図示しないが、表示加工の設定は予め主制御部１０８に記憶されており、輪郭抽出加工に設定されていたならば（Ｓ１１２：Ｙ）輪郭部分を抽出し、輪郭部分を点灯する加工をおこない（Ｓ１１３）、ネガ表示の表示を行う（Ｓ１１４）。輪郭抽出加工に設定されていなければ（Ｓ１１２：Ｎ）表示加工のないネガ表示の表示を行う（Ｓ１１４）。
【００４８】
以上、本実施の形態について説明した。
【００４９】
本実施の形態において、近傍に人が居ない状態ではネガ表示としている。これにより、点灯するドット数を減らすことができ、消費電力を抑制できる。そして、近傍に人が居る状態では、一般的な電話機の表示画像と同じポジ表示としている。これにより利用者への違和感を軽減できる。なお、人感センサーが人を感知しない場合に、表示画像を見る人が居ないのだから表示自体をしない方法（全消灯）もあるが、それでは人感センサーが感知できない少し離れた場所に人が居た場合に不都合である。
【００５０】
また、本実施の形態では、電話端末は、待機状態になった場合のポジ部の輝度を下げることも可能であり、その場合、待機中の消費電力を更に低減することができる。
【００５１】
以上説明した通り、本発明による電話端末は、端末の状態に応じて、発光型表示器におけるポジ表示とネガ表示を適応的に切り替えるので、違和感が無く視認性に優れた表示と表示に係る消費電力の抑制を両立することができる。
【符号の説明】
【００５２】
１００                ネガ・ポジ表示切替機能付電話端末
１０１                待機状態判定部
１０２                表示画面データメモリ
１０３                表示画面制御部
１０４                人感センサー部
１０５                発光型表示器
１０６                呼制御部
１０７                接続ＩＦ（インターフェース）部
１０８                主制御部
１０９                送受話器
１１０                操作キー
１０３１              ネガ表示設定部
１０３２              ネガ表示画面データメモリ
１０３３              ポジ表示画面データメモリ
１０３１１            輪郭抽出加工部
【図１】
2011014962.tif 000003
【図２】
2011014962.tif 000004
【図３】
2011014962.tif 000005
【図４】
2011014962.tif 000006